(57)【要約】【課題】安定して容易に保持することができる洋式便器を提供する。【解決手段】便器本体１の重心を通る一垂直面３と、便器本体１の両側面１１との交線４上において手掛かり凹部１２が設けられている洋式便器。又、手掛かり凹部１２は便器本体１の両側面１１において、左右対称位置に一つずつ設けられている。又、手掛かり凹部１２は便器本体１の両側面１１において、便器本体１の重心よりも高い位置に設けられている。又、この便器本体１には手掛かり凹部１２を覆う開閉可能な横蓋１３が備えられている。【選択図】図２
2007197938.tif 000002
【特許請求の範囲】
【請求項１】
便器本体の重心を通る一垂直面と、便器本体の両側面との交線上において手掛かり凹部が設けられている洋式便器。
【請求項２】
手掛かり凹部は便器本体の両側面において、左右対称位置に一つずつ設けられていることを特徴とする請求項１記載の洋式便器。
【請求項３】
手掛かり凹部は便器本体の両側面において、便器本体の重心よりも高い位置に設けられていることを特徴とする請求項１又は２記載の洋式便器。
【請求項４】
手掛かり凹部を覆う開閉可能な横蓋が備えられていることを特徴とする請求項１〜３いずれか一項記載の洋式便器。
【発明の詳細な説明】
【技術分野】
【０００１】
本願発明は、便器本体の保持に用いる手掛かり部が設けられた洋式便器に関するものである。
【背景技術】
【０００２】
従来、洋式便器をトイレルームに設置する場合、便器本体を保持するための工夫は特にされておらず、施工時は便器リム部、後部、底部を手掛かりとして運搬、排水接合等を行っていた。
【０００３】
又、特開２００２−１０９５０号公報（特許文献１）に示されるように、便器本体１の側面に収納用のポケットを取り付けるための開口部５が設けられている場合（図５）は、この開口部５を手掛かりとして便器本体１を保持し、運搬、排水接合等を行うことができる。
【特許文献１】特開２００２−１０９５０号公報
【発明の開示】
【発明が解決しようとする課題】
【０００４】
しかしながら、上記従来例である洋式便器にあっては、表面が滑らかな重量物であり、便器本体を保持するための有効な手掛かりとなる部分もないため、運搬や排水接合等の作業を行うのが非常に困難である。
【０００５】
又、図５に示した便器本体１に収納用のポケットを取り付けるための開口部５が設けられている場合も、この開口部５は片側にしか設けられていないようであり、片側だけに手掛かりがあっても便器本体１を安定して保持することができない。
【０００６】
本願発明は、上記背景技術に鑑みて発明されたものであり、その課題は、安定して容易に保持することができる洋式便器を提供することである。
【課題を解決するための手段】
【０００７】
上記課題を解決するために、本願請求項１記載の発明では、便器本体の重心を通る一垂直面と、便器本体の両側面との交線上において手掛かり凹部が設けられている。
【０００８】
又、本願請求項２記載の発明では、上記請求項１記載の洋式便器において、手掛かり凹部は便器本体の両側面において、左右対称位置に一つずつ設けられていることを特徴としている。
【０００９】
又、本願請求項３記載の発明では、上記請求項１又は２記載の洋式便器において、手掛かり凹部は便器本体の両側面において、便器本体の重心よりも高い位置に設けられていることを特徴としている。
【００１０】
又、本願請求項４記載の発明では、上記請求項１〜３いずれか一項記載の洋式便器において、手掛かり凹部を覆う開閉可能な横蓋が備えられていることを特徴としている。
【発明の効果】
【００１１】
本願請求項１記載の発明の洋式便器においては、便器本体の両側面に手掛かり凹部が設けられているため、便器本体を容易に保持することができる。更にこの手掛かり凹部は、便器本体の重心を通る一垂直面と、便器本体の両側面との交線上に設けられているため、安定して便器本体を保持することができる。したがって、便器本体の運搬や排水接合等の作業も容易になるものである。
【００１２】
又、本願請求項２記載の発明の洋式便器においては、手掛かり凹部は便器本体の両側面において、左右対称位置に一つずつ設けられているため、バランス良く便器本体を保持することができる。
【００１３】
又、本願請求項３記載の発明の洋式便器においては、手掛かり凹部は便器本体の重心よりも高い位置に設けられているため、重心よりも高い位置で保持することとなり、より安定して便器本体を保持することができる。
【００１４】
又、本願請求項４記載の発明の洋式便器においては、開閉可能な横蓋が備えられているため、手掛かり凹部を横蓋で覆うことで、手掛かり凹部に埃等を溜まりにくくすることができる。
【発明を実施するための最良の形態】
【００１５】
図１〜４は、本願請求項１〜４に対応した一実施形態である洋式便器を示している。この洋式便器は、図２，３に示すように、便器本体１の重心２を通る一垂直面３と、便器本体１の両側面１１との交線４上において、左右対称に一つずつ、重心２よりも高い位置に手掛かり凹部１２が設けられている。更に、この洋式便器には手掛かり凹部１２を覆う開閉可能な横蓋１３が備えられている。
【００１６】
以下、この実施形態の洋式便器を、より具体的詳細に説明する。図１に示すように、この洋式便器は、便器本体１に便座２１と、便蓋２２と、局部洗浄および便座２１を暖める装置ケース２３と、サイドカバー２４とからなる本体付属部品が取り付けられたものである。便器本体１は図２、３に示すように、本体付属部品等の他の部品とは分離して施工できるものであり、水を貯めるボール部１４と、ボール部１４の水を排水管へと流すボール排水口１５とが設けられており、更に、便器本体１の両側面１１には、便器本体１の重心２を通る一垂直面３との交線４上において、左右対称に一つずつ、重心２よりも高い位置に手掛かり凹部１２が設けられている。
【００１７】
この手掛かり凹部１２は、便器本体１の側面１１と略面一になる横蓋１３によって覆われており、この横蓋１３を指で押し込むと、横蓋１３は手掛かり凹部１２の開口縁の下側と接続している軸部を軸にして内側下方に折れて、手掛かり凹部１２に指を挿し込めるようになっている。又、横蓋１３の軸部にはバネが設けられており、手掛かり凹部１２から指を引き抜くと、押し込まれた横蓋１３は便器本体１と面一になる位置に戻る。
【００１８】
なお、この洋式便器は便器本体１と前記本体付属部品とが分離して施工できるため、本体付属部品は便器本体１には含まないが、本体付属部品の一部或いは全部が便器本体１と分離して施工できない場合は、分離できない本体付属部品も含めて便器本体となる。
【００１９】
この洋式便器の施工は、図４より、排水管に繋いだターントラップ２５にボール排水口１５を繋ぎ、更に、便器本体１には、便座２１と、便蓋２２と、装置ケース２３と、サイドカバー２４とを取り付ける。装置ケース２３はターントラップ２５が取り付けられるフレーム２６に支持されるものであり、サイドカバー２４は同フレーム２６にターントラップ２５の両側及び背面を覆うように取り付けられる。
【００２０】
したがって、この実施形態の洋式便器においては、便器本体１の両側面１１に手掛かり凹部１２が設けられているため、便器本体１を容易に保持することができる。更にこの手掛かり凹部１２は、便器本体１の重心２を通る一垂直面３と、便器本体１の両側面１１との交線４上に設けられているため、安定して便器本体１を保持することができる。したがって、便器本体１の運搬や排水接合等の作業も容易になるものである。
【００２１】
又、手掛かり凹部１２は便器本体１の両側面１１において、左右対称位置に一つずつ設けられているため、バランス良く便器本体１を保持することができる。更に、手掛かり凹部１２は便器本体１の重心２よりも高い位置に設けられているため、重心２よりも高い位置で保持することとなり、より安定して便器本体１を保持することができる。
【００２２】
又、手掛かり凹部１２は横蓋１３によって覆われているため、手掛かり凹部１２に埃等が溜まりにくくなる。又、横蓋１３は便器本体１の側面１１と面一になって設けられているため、外観が悪くなることはない。更に、この横蓋１３は、バネが設けられた軸部を軸にして開閉するようになしているため、ネジ等で横蓋１３が取り付けられている場合と比べて、容易に横蓋１３を開閉させることができる。
【図面の簡単な説明】
【００２３】
【図１】本願発明の一実施形態である洋式便器を示す斜視図。
【図２】同洋式便器における便器本体を示す斜視図。
【図３】同便器本体を示す上面図。
【図４】同便器本体にターントラップを取り付けた状態を示す斜視図。
【図５】従来例である洋式便器を示す斜視図。
【符号の説明】
【００２４】
１  便器本体
２  重心
３  垂直面
４  交線
11側面
12手掛かり凹部
13横蓋
【図１】
2007197938.tif 000003
【図２】
2007197938.tif 000004
【図３】
2007197938.tif 000005
【図４】
2007197938.tif 000006
【図５】
2007197938.tif 000007